(57)【要約】      （修正有）【課題】懐中電灯に２個のライトを装備して照明範囲を広げ明るくし、各ライトを上下・左右使用目的に応じた方向に変更させて照らす。【解決手段】方向変更のため以下の装置を設けた。１．バネをソケットとプラスチック板（９）間に取付け固定する。  ２．ソケット（７）の上下左右４箇所と、回転リール（１２．１３．１１．１４）を糸で結び、（１２．１３）が上下、（１１．１４）が左右方向の操作をする。各糸を取付個所（１９）で固定し、回転リールを巻く操作で方向変更する。  ３．方向変更すると、ソケットをバネで繋いでプラスチック板（９）に固定しているため、バネの反動で変更後の位置がずれるので、変更後の位置を固定させるため回転リールの片側に取り付けた鉄板（２１）と、両回転リール中央の磁石（２２・２３）で回転リールと鉄板（２１）を固定させ、同時に糸で回転リールと連携しているソケットの位置を固定する。【選択図】図１
2007157673.tif 000002
【特許請求の範囲】
【請求項１】
（イ）ライトが２個ある懐中電灯。
（ロ）懐中電灯の各ライトの方向を上下、左右随所に方向変更ができ、方向後のライトの位置を固定させる。
（ハ）懐中電灯に単３乾電池を８個まで装填できる。
以上の機能を持つ懐中電灯
【発明の詳細な説明】
【技術分野】
【０００１】この発明は２個のライトを装着し、各々のライトの方向を上下、左右に方向変更が出来るようにした懐中電灯で、単三乾電池を各々２〜４個まで装填できる電池ケースを２個設け照明時間を長時間使用可能とさせた懐中電灯。
【背景技術】
【０００２】１．オートバイのライトが１個に対し、ライトが２個ある４輪自動車は照明範囲が広く明るく運転が容易で安全である、懐中電灯にもこの考えを応用したライトが２個ある懐中電灯とした。
２．最近の単三乾電池は使用時間も長く、単三乾電池４個と単一乾電池１個との重さを比べても、単三乾電池４個が多少軽いので、電池使用（照明）時間を長くてライトが２個ある懐中電灯を考案した。
３．ライトを２個取り付けることにより、２個あるライトの照明方向を片方のライトが足元を照らし、もう一方のライトが前方を照らす等使用目的に応じて各ライトの照明方向を自由に変更ができる懐中電灯とする。
４．ライトに発光ダイオード（ＬＥＤ）を使用すると電気消費量が少ないので、さらに照明時間を延長出来る。
【発明の開示】
【発明が解決しようとする課題】
【０００３】１．ライトが２個ある懐中電灯はライトが１個の懐中電灯に比べ大変に明るく、照明範囲も拡大できる。
２．懐中電灯にライトが２個あるので各ライトを使用目的に応じた方向に変更できる。
３．左右ライトの方向変更後、ライト部分がバネでプラスチック板に固定されているためにバネの反動により変更後の位置が固定しないのでその位置を固定させるようにする。
４．単３乾電池を４個まで装填できる電池ケースを懐中電灯に２個合計８個まで装填させて照明時間を長時間使用できるようさせる。
【課題を解決するための手段】
【０００４】「発明が解決しようとする課題」の４項目を同一番号で表示する
（説明文中のカッコ内の符号番号は各図面に付した共通番号である）
１．［図１．２．３．７．８］のプラスチック板（符号９）にソケット、ライト（ソケットとライトは同体のため以後ソケットと記載する）を２個並べて設置する。
２．各ソケットの方向変更をさせるために、ソケットの上下、左右の４箇所に糸を取り付け上下の糸と連携する回転リールと左右の糸と連携する回転リールの巻き取り、巻き戻しの回転操作により回転リールと連動しているソケットを上下、左右随所に方向変更をさせる。
ソケットと回転リールの間に２枚のプラスチック板を設置しその各プラスチック板に上下、左右の４本の糸を通過させる穴を設け、その穴に各糸を通過させて糸の流れを調整して回転リールを容易に回転させる。糸の流れを［図７と８］で説明をすると（実線は上下、破線は左右の糸を表す）ソケット（符号７）を設置してあるプラスチック板（符号９）にソケットの上下、左右の４箇所に糸を取り付けた位置と対応する個所に穴を４個所設け、その穴に糸を通過させて糸の調整を行なう。
プラスチック板（符号９）を通過した糸を上（符号１）と下（符号２）の糸を操作する回転リール（符号１２、１３）と、左（符号３）と右（符号４）の糸を操作する回転リール（符号１１、１４）の前面にプラスチック板（符号１０）を設置し、そのプラスチック板に上（符号１）と右（符号４）の糸は上部に、下（符号２）と左（符号３）の糸は下部に各４個の穴を設け、その穴に各糸を通過させて、上方からと下方からの各糸を各回転リールに取り付けてある符号１９の個所に固定させ、各回転リールを前後に回転させることにより、回転リールと連動しているソケットの方向を上下、左右随所の方向に変更させる。
３．［図１．２．３．７］のようにソケットをバネ（符号８）でプラスチック板（符号９）に固定しているので、バネの反動によりソケットの位置が定着しないので、ソケットの位置を固定させるために、［図４〜６］の回転リールの構造のように各回転リールの中央下部（符号２２）または回転軸に丸型磁石（符号２３）を装着、固定させることにより、各回転リールの内側に付した鉄板（符号２１）とを接触させて、磁石による付着力により回転リールを固定させることにより、回転リールと連動しているソケットの方向変更後の位置を固定させる。
４．［図９．１０・１１］の各電池ケース（符号２５）に単３乾電池を２〜４個装填し、この電池ケースを２個装備して合計４〜８個の電池を装填する。
【発明の効果】
【０００５】・ライトを２個取り付けた懐中電灯であるので、ライトが１個の懐中電灯に比べ照明範囲が広く明るい。
・各ライトを用途に応じた随所の方向に照明ができ、その方向位置を固定できる。
・単三乾電池を８個まで装填でき長時間使用できる。
【発明を実施するための最良の形態】
【０００６】・２個のライトは透明なプラスチック板（符号１６）で覆い、その中でライト等を保護し、ライトの方向を変更する。
・懐中電灯の取っ手を、プラスチック板（符号９）の上部中央から回転リールの上部中央を回って電池ケースの中央下部に至る位置に設ける。この取っ手の回転リールの上部に左右ライトのスイッチを付設する。
左右各ライトの方向を上下、左右に変更させるために各回転リールを前後に回転させる操作は取っ手を持ちながら指を使って行う。
【図面の簡単な説明】
【０００７】
【図１】懐中電灯を上部から見た図でライトのプラスチックカバー（符号１６）と本体部分のプラスチックカバー（符号１７）がないのが左図、カバーを付したのが右図
【図２】懐中電灯を前方上部から見た斜視図でライトのプラスチックカバー（符号１６）と本体部分のプラスチックカバー（符号１７）がないのが左図、カバーを付したのが右図
【図３】懐中電灯の側面図でライトのプラスチックカバー（符号１６）と本体のプラスチックカバー（符号１７）がないのが左図、カバーを付したのが右図
【図４】回転リール内側と外側の斜視図
【図５】左図は回転軸（符号２０）の下部に磁石を設置した場合の支柱（符号２４）との関係図、右図は回転リール全体の正面図
【図６】左図は回転軸（符号２０）に丸型磁石を取り付けた場合の支柱（符号２４）との関係図、右図は回転リール全体の正面図
【図７】左右ライトと回転リールを結ぶ糸の流れを上部から見た図
【図８】片側ライトと回転リールを結ぶ糸の流れを側面から見た図
【図９】左図は電池ケースの入口に取り付けた蓋を横から見た図、右図は電池ケース（蓋の全体図）を格納する状態の一部分を上から見た図
【図１０】左図は電池ケース（符号２５）を上から見た図、右図は電池ケースに設けた電極板（符号３１）と電池ケースを格納する下部のプラスチック板に敷設した電極板（符号３２）の側面図
【図１１】左図は電池ケース（符号２５）を下から見た図、右図は電池ケースを格納する下部のプラスチック板に敷設する電極板（符号３２）の斜視図
【図１２】左図は電池ケース（符号２６）を格納する底部分のプラスチック板に電極板（符号３２）を敷設した状態を上から見た図、右図は下から見た図
【符号の説明】
【０００８】〔図１〕〜〔図１１〕に付した符号番号は各図面共通番号で各符号番号の説明は下記のとおりである。説明文中の各符号番号の表示は符号１を（符号１）のように表示する。
符号１．符号２
各ソケット裏側の上下２箇所の部分に付した２本の糸で、上の個所からの糸（符号１）と下の個所からの糸（符号２）で、この２本の糸が２枚のプラスチック板（符号９・１０）の穴を通過させて、各糸を回転リールに容易に巻き取れるようにする、回転リール（符号１２・１３）に取り付けてある糸を結び付ける個所（符号１９）にプラスチック板（符号１０）の上の穴に符号１の糸を、下の穴に符号２の糸を通過した２本の糸を固定させ、回転リールを前後に回転させてライトを上下の方向に変更させる。
ライトの方向を上に向けたときは、ソケットの上部に繋がる符号１の糸を回転リールに巻き取り（糸を引く）、同時にソケットの下部に繋がる符号２の糸は回転リールを巻き返す（糸を押し出す）ことになる。〈図１．２．３．７．８参照〉
符号３．符号４
各ソケット裏側の左右２個所の部分に付した２本の糸で、左の個所からの糸（符号３）と右の個所からの糸（符号４）で、この２本の糸が２枚のプラスチック板（符号９・１０）の穴を通過させて、各糸を回転リールに容易に巻き取れるようにする、回転リール（符号１１・１４）に取り付けてある糸を結び付ける個所（符号１９）にプラスチック板（符号１０）の上の穴に符号３の糸を、下の穴に符号４の糸を通過した２本の糸を固定させ、回転リールを前後に回転させてライトを左右の方向に変更させる。
ライトの方向を左に向けたときは、ソケットの左部に繋がる符号３の糸を回転リールに巻き取り（糸を引く）、同時にソケットの下部に繋がる符号４の糸は回転リールを巻き返す（糸を押し出す）ことになる〈図１．２．３．７．８参照〉
符号５．取っ手（符号１５）の前方に取り付けたスイッチ〈図１．２．３参照〉
符号６．電球、発光ダイオード（ＬＥＤ）等〈１．２．３．７参照〉
符号７．ソケット〈図１．２．３．７．８参照〉
符号８．片側にソケット（符号７）を取り付けて、もう一方をプラスチック板（符号９）に取り付け固定するバネで、バネの伸縮性によりライトの方向を随所の方向に変更させる、バネの中央空洞部分に電球等の電線を通す。
またバネの回りに、薄いゴム等で覆いバネを見えないようにすることも可〈図１．２．３．７参照〉
符号９．ソケットに取り付けたバネを固定するプラスチック板で、またライトの方向変更させるため各ソケットの上下、左右４箇所に糸を付した位置と対応する４個所の位置に糸を通す穴を設けたプラスチック板で、この穴を通して糸の流れを調整し、さらにプラスッチク板（符号１０）の穴に繋ぐ〈図１．２．３．７．８参照〉
符号１０．各ソケットの上下、左右４箇所の糸がプラスチック板（符号９）を通過後、上下、左右の糸を操作する回転リール（符号１２〜１４）の前面に設けたプラスチック板（符号１０）で、このプラスチック板に回転リールの上と下の位置にあたる４箇所に穴を設け、上部の穴には符号１と符号４の糸を、下部の穴には符号２と符号３の糸を通して各回転リールに取り付けた符号１９の個所で上下、左右からの各糸を固定して回転リールを前後に回転することにより、回転リールと連動するソケットを上下、左右の方向に変更させる。〈図１．２．３．７．８参照〉
符号１１．ソケット（符号７）の左右個所に取り付けた符号３と符号４の糸と連携する回転リールで、この回転リールを前後に回転させてライトを左右の方向変更させる〈図１．２．３．７．８参照〉
符号１２．ソケット（符号７）の上下個所に取り付けた符号１と符号２の糸と連携する回転リールで、この回転リールを前後に回転させてライトを上下の方向に変更させる〈図１．２．４〜８参照〉
符号１３．ソケット（符号７）の左右個所に取り付けた符号１と符号２の糸と連携する回転リールで、この回転リールを前後に回転させてライトを上下の方向に変更させる〈図１．２．４〜８参照〉
符号１４．ソケット（符号７）の左右個所に取り付けた符号３と符号４の糸を連携する回転リールで、この回転リールを前後に回転させてライトを左右の方向に変更させる〈図１．２．４〜８参照〉
各回転リール（符号１１〜１４）の位置とソケットに取り付けた各糸（符号１〜４）を結ぶ各回転リールの組み合わせは変更可能。各回転リールを指で操作するときに回転を容易にさせるために、一例として回転リールの回りに刻みを設けた。
符号１５．この懐中電灯の取っ手〈図１〜３．９参照〉
符号１６．２個のライトを保護するため取り付けたプラスチックのカバー〈図１．２．３参照〉
符号１７．各回転リールを指で回転させる上部分を除いた部分を覆うプラスチックカバー〈図１．２．３参照〉
符号１８．４個の回転リールを付設、固定するプラスチック板で、この下に電池ケースを格納する格納庫が左右に２箇所ある。〈図１．２．３．９参照〉
符号１９．各回転リールの１箇所に取り付けた装置で、ソケットに取り付けた上下、左右の各糸をこの装置に固定させる。〈図１．５．６．７．８参照〉
符号２０．各回転リールを回転させるための回転軸で、支柱（符号２４）で支える〈図１．２．３．５．６．７．８参照〉
符号２１．各回転リールの内側に取り付けた鉄板（符号２１）で、２個の回転リールの中間に設置した磁石（符号２２・２３）の付着力により、回転リール回転後の位置を常時固定させ、回転リールの糸と連携しているライトの方向位置も同時に固定させる。
ソケットに取り付けたバネをプラスチック板（符号９）に設置しているので、バネの反動でライトの方向位置が固定しないのでこのような装置を設けた。〈図４．５．６参照〉
符号２２．回転リールを支える２本の鉄支柱（符号２４）の間の下部に設置した磁石。〈図５参照〉
符号２３．回転リールを支える２本の鉄支柱（符号２４）の間の回転軸（符号２０）に設置した丸型磁石。〈図６参照〉
符号２４．中央にある磁石の両側に設置し、２個の回転リールを支える鉄板製の支柱で、磁石と回転リールの鉄板（符号２１）との間にあり磁力を鉄板に伝え、その付着力により回転リールを固定させる。〈図３．５．６．８．９参照〉
符号２５．〔図９．１０．１１参照〕の電池ケースで、プラスチック板（符号１８）の下部の両側にある電池ケース格納庫に格納する、一つの電池ケースに単三乾電池を２〜４個まで装填する。
符号２６．各回転リールが付設してあるプラスチック板（符号１８）の下部に設けた電池ケースの格納庫の蓋で、その蓋を開閉するときに［図９］の取っ手（２６）の両側を持って蓋の開け閉めをする。この取っ手（２６）の中央にバネ（２７）を設置しているので取っ手は常に両側の位置にあり、この取っ手と同体で繋がっている両端の部分に符号２９の部分に掛けて蓋を閉める、蓋を開けるときは取っ手を内側に寄せて取っ手と同体である両端部分を中央に寄せて、符号２９の固定から解除させて蓋を開く。〈図１．２．３．９．１２参照〉
符号２７．両側に２個ある取っ手（２６）の中央に設置したバネで、常に両側に押した状態にする。〈図１．２．３．９．１２参照〉
符号２８．電池ケース（符号２５）を格納する格納庫に蓋を取り付けた２個ある蝶つがい。〈図１．２．３．９．１２参照〉
符号２９．格納庫入口の両側に取り付けた装置で、〔図９〕の右図で蓋の開閉のときに蓋の取っ手（符号２６）と同体の両端部（符号２６）が中央に設置したバネ（符号２７）の伸縮により取っ手の両端部分（符号２６）を掛けたり、外したりして蓋の開閉をする。〈図９．１２参照〉
符号３０．電池格納庫からの電池ケースの出し入れを容易にするために電池ケースに設けた取っ手で、取っ手の内側にバネを付設することにより、電池格納庫の蓋を閉めると、取っ手はバネにより内側に縮小するがバネの反動で蓋を締付けるので、蓋をしっかり閉めることが出来る。蓋を開けて電池ケースを取り出すときは、取っ手がバネにより伸長して手に持ち易くなり電池ケースを電池格納庫から容易に取り出すことができる。〈図９．１０．１１参照〉
符号３１．電池ケースの下部の２箇所に取り付けた＋極と−極の電極板で、電池ケース内の各乾電池の電流を〔図１０右図〕と〔図１１左図〕のように電池ケース格納庫の下部プラスチック板に付設た＋極と−極の電極板（符号３２）に電池ケースを挿入して電池ケースの＋極と−極の電極板（符号３１）とをそれぞれ接触させて各乾電池の電流をライトとスイッチに流す。〈図１０．１１参照〉
符号３２．〔図１１〕の右図で電池ケースを格納する格納庫下部のプラスチック板に付設する＋極と−極の電極板で、〔図１０〕右図の電池ケース（符号２５）の＋極と−極の電極板（符号３１）とをそれぞれ接触させて、この電極板（符号３２）と同体である片側部分（符号３３）に取り付けてある電線がライトとスイッチにそれぞれ電流を流す。またこの電極板（符号３２）の設置によりこの電極板の位置より奥に電池ケースが挿入しないようにする。〈図１０．１１．１２参照〉
符号３３．〔図１１〕の右図の電池ケースを格納する格納庫の下部のプラスチック板に付設した＋極と−極の各電極板（符号３２）の片方に取り付けた電線で、この電線がプラスチック板の下側を通って乾電池の電流をライトとスイッチに流す。〈図１０．１１．１２参照〉
【図１】
2007157673.tif 000003
【図２】
2007157673.tif 000004
【図３】
2007157673.tif 000005
【図４】
2007157673.tif 000006
【図５】
2007157673.tif 000007
【図６】
2007157673.tif 000008
【図７】
2007157673.tif 000009
【図８】
2007157673.tif 000010
【図９】
2007157673.tif 000011
【図１０】
2007157673.tif 000012
【図１１】
2007157673.tif 000013
【図１２】
2007157673.tif 000014